(57)【特許請求の範囲】
【請求項１】
ストライカが進入する進入口が形成された取付部材と、
前記取付部材に揺動可能に設けられ、前記進入口内において前記ストライカを係止した状態である係止状態、又は前記進入口内において前記ストライカの係止を解除した状態である解除状態に切り替わるフォークと、
前記取付部材に揺動可能に設けられ、前記フォークの揺動を固定又は開放可能なポールと、
前記ポールに作用して、前記フォークを前記係止状態から前記解除状態に切り替える切替手段とを備えた車両用開閉体のロック装置であって、
前記切替手段は、電力によって駆動力を生じる駆動手段と、
通常は初期位置にあり、開スイッチの操作があれば、前記駆動手段に駆動されて設定角度まで揺動した後、前記初期位置まで復帰する切替レバーとを有し、
前記切替レバーと前記ポールとの間には、前記切替レバーが前記設定角度まで揺動する往路では、前記ポールを揺動させて前記フォークの揺動を開放させ、その後、前記フォークの揺動を固定し得る状態に前記ポールを復帰させるとともに、前記切替レバーが前記初期位置に復帰する復路では、前記切替レバーの復帰が前記ポールによって妨げられないようにする早期復帰機構が設けられ、
前記早期復帰機構は、前記取付部材に揺動軸回りで揺動可能に設けられ、自己の一端が前記ポールに当接して前記ポールを揺動させる伝達レバーと、
前記伝達レバーとともに前記揺動軸に揺動可能に設けられ、前記往路方向には前記伝達レバーと一体的に揺動可能であり、前記復路方向には前記伝達レバーから独立して揺動可能である関節部材と、
前記切替レバーに設けられ、前記往路及び前記復路において前記関節部材と一時的に当接する当接部とを有して構成されていることを特徴とする車両用開閉体のロック装置。
【請求項２】
前記伝達レバーと前記関節部材とは、１つの付勢手段により前記揺動軸回りで同一方向に付勢されていることを特徴とする車両用開閉体のロック装置。
【発明の詳細な説明】
【技術分野】
【０００１】
本発明は車両用開閉体のロック装置に関する。
【背景技術】
【０００２】
特許文献１に従来の車両用開閉体のロック装置が開示されている。このロック装置は、取付部材と、フォークと、ポールと、切替手段とを備えている。
【０００３】
取付部材には、ストライカが進入する進入口が形成されている。フォークは、取付部材に揺動可能に設けられ、進入口内においてストライカを係止した状態である係止状態、又は進入口内においてストライカの係止を解除した状態である解除状態に切り替わるものである。ポールは、取付部材に揺動可能に設けられ、フォークの揺動を固定又は開放可能なものである。
【０００４】
切替手段は、ポールに作用して、フォークを係止状態から解除状態に切り替えるものである。切替手段は、電力によって駆動力を生じる駆動手段と、通常は初期位置にあり、開スイッチの操作があれば、駆動手段に駆動されて設定角度まで揺動した後、初期位置まで復帰する切替レバーとを有している。具体的には、開スイッチは、車両用開閉体に設けられた開閉ハンドルに内蔵されており、使用者が開閉ハンドルを引くことにより通電状態となるようになっている。
【０００５】
このような構成である従来のロック装置では、使用者による開スイッチの操作が開始されれば、つまり、使用者が開閉ハンドルを引けば、切替レバーが駆動手段に駆動されて初期位置から設定角度まで揺動し、ポールに作用してポールを揺動させる。その結果、ポールがフォークの揺動を開放し、フォークが係止状態から解除状態に切り替わる。
【０００６】
その後、使用者による開スイッチの操作が終われば、つまり、使用者が開閉ハンドルを戻せば、切替レバーが逆方向に揺動して初期位置に復帰し、それに伴って、ポールも逆方向に揺動する。その結果、ポールがフォークの揺動を再び固定可能となり、フォークが解除状態から係止状態に復帰可能な状態となる。
【０００７】
こうして、このロック装置は、使用者による開スイッチの操作の開始に基づいて、自動によりフォークを係止状態から解除状態に切り替えるとともに、使用者による開スイッチの操作の終了に基づいて、自動によりフォークを解除状態から係止状態に復帰可能な状態とすることが可能となっている。
【０００８】
なお、別の従来技術として、使用者による開スイッチの操作の開始から一定時間が経過した時点で、切替レバーを逆方向に揺動させ、フォークを解除状態から係止状態に復帰可能な状態とするようになっているものもある。
【０００９】
【特許文献１】特開２００２−３３９６２１号公報
【発明の開示】
【発明が解決しようとする課題】
【００１０】
ところで、上記従来のロック装置では、使用者による開スイッチの操作の終了に基づいて切替レバーを初期位置に復帰させる場合、又は使用者による開スイッチの操作の開始から一定時間が経過した時点で切替レバーを初期位置に復帰させる場合において、切替レバーが初期位置に復帰するまではポールがフォークの揺動を開放した状態のままであり、フォークが解除状態となっている。このため、この状態では、開閉体を開いた後にすぐに閉めようとすると、ストライカがフォークに係止されず、開閉体をすぐに閉めることができないという不具合が生じ易い。そして、このような不具合を解決しようとすれば、ロック装置の構成が複雑になったり、部品点数が増えたりして、製造コストの上昇を招き易い。
【００１１】
本発明は、上記従来の実情に鑑みてなされたものであって、開閉体を開いてすぐに閉めようとする使用者に好適に対処可能であり、かつ製造コストの上昇を抑制可能である車両用開閉体のロック装置を提供することを解決すべき課題としている。
【課題を解決するための手段】
【００１２】
本発明の車両用開閉体のロック装置は、ストライカが進入する進入口が形成された取付部材と、
前記取付部材に揺動可能に設けられ、前記進入口内において前記ストライカを係止した状態である係止状態、又は前記進入口内において前記ストライカの係止を解除した状態である解除状態に切り替わるフォークと、
前記取付部材に揺動可能に設けられ、前記フォークの揺動を固定又は開放可能なポールと、
前記ポールに作用して、前記フォークを前記係止状態から前記解除状態に切り替える切替手段とを備えた車両用開閉体のロック装置であって、
前記切替手段は、電力によって駆動力を生じる駆動手段と、
通常は初期位置にあり、開スイッチの操作があれば、前記駆動手段に駆動されて設定角度まで揺動した後、前記初期位置まで復帰する切替レバーとを有し、
前記切替レバーと前記ポールとの間には、前記切替レバーが前記設定角度まで揺動する往路では、前記ポールを揺動させて前記フォークの揺動を開放させ、その後、前記フォークの揺動を固定し得る状態に前記ポールを復帰させるとともに、前記切替レバーが前記初期位置に復帰する復路では、前記切替レバーの復帰が前記ポールによって妨げられないようにする早期復帰機構が設けられ、
前記早期復帰機構は、前記取付部材に揺動軸回りで揺動可能に設けられ、自己の一端が前記ポールに当接して前記ポールを揺動させる伝達レバーと、
前記伝達レバーとともに前記揺動軸に揺動可能に設けられ、前記往路方向には前記伝達レバーと一体的に揺動可能であり、前記復路方向には伝達レバーから独立して揺動可能である関節部材と、
前記切替レバーに設けられ、前記往路及び前記復路において前記関節部材と一時的に当接する当接部とを有して構成されていることを特徴とする。
【００１３】
このような構成である本発明の車両用開閉体のロック装置（以下、単に「ロック装置」という。）では、使用者による開スイッチの操作が開始されれば、切替レバーが駆動手段に駆動されて設定角度まで揺動した後、初期位置まで復帰する。
【００１４】
ここで、切替レバーが設定角度まで揺動する往路では、まず、切替レバーに設けられた当接部が伝達レバーに設けられた関節部材に接近して当接する。ここで、関節部材は、往路方向には伝達レバーと一体的に揺動可能であるので、切替レバーの揺動に伴って、当接部が関節部材を往路方向に押す。このため、切替レバーの揺動が、当接部及び関節部材を介して伝達レバーに伝達されて、伝達レバーが揺動する。このため、伝達レバーの一端がポールに当接してポールを揺動させ、フォークの揺動を開放させる。その結果、フォークが係止状態から解除状態に切り替わる。この状態では、使用者は開閉体をさらに開くことができる。その後、切替レバーがさらに揺動すると、当接部が関節部材から離反して当接しなくなる。このため、伝達レバーは、切替レバーの揺動をポールに伝達しなくなって、フォークの揺動を固定し得る状態にポールを復帰させる。その結果、フォークが解除状態から係止状態に復帰可能な状態となる。このため、使用者が開閉体を開いてすぐに閉めようとしても、ポールが直ちにフォークの揺動を固定できるので、開閉体を問題なく閉じることができる。
【００１５】
また、切替レバーが初期位置に復帰する復路では、当接部が関節部材に再び当接する。ここで、関節部材は、復路方向には伝達レバーから独立して揺動可能であるので、当接部が当接しても、当接部から逃げるように単独で復路方向に揺動するだけである。このように当接部及び関節部材が作用することにより、切替レバーの復帰はポールによって妨げられない。その結果、切替レバーは、支障なく初期位置に復帰することができる。こうして、このロック装置は、開閉体を開いてすぐに閉めようとする使用者に好適に対処可能である。
【００１６】
さらに、このロック装置では、伝達レバーと関節部材とが１本の揺動軸に軸支され、その揺動軸回りで揺動可能とされている。このため、このロック装置は、伝達レバーと関節部材とが２本の揺動軸に別個に軸支される場合と比較して、装置構成の簡略化や部品点数の削減を図ることができ、その結果として、製造コストの上昇を抑制できる。
【００１７】
したがって、本発明のロック装置は、開閉体を開いてすぐに閉めようとする使用者に好適に対処可能であり、かつ製造コストの上昇を抑制可能である。
【００１８】
なお、このロック装置では、関節部材は、伝達レバーが揺動する面と平行な面内で揺動する。このため、ロック装置の外形状を扁平にすることができるので、ロック装置を車両に搭載しても嵩張らず、車内空間を広くすることができる。さらに、このロック装置では、ポールが揺動する面と伝達レバーが揺動する面とが交差するような配置構成を採用することができる。この場合、このロック装置は、車両のドアのような扁平な空間内に内蔵可能な形状に設計し易くなる。
【００１９】
駆動手段は、本発明の作用効果を奏するものであれば、どのようなものを採用してもかまわない。例えば、駆動手段は、電動モータ、伝達ギヤ、リターンスプリング等が組み合わされてなる周知の構成のものを採用することができる。なお、「電力によって駆動力を生じる駆動手段」とは、切替レバーを駆動する際、常に電力によって駆動力を生じるものである必要はなく、切替レバーの往復動作の往路では、電力によって駆動力を生じて切替レバーを揺動させるとともに、弾性体により付勢力を蓄え、切替レバーの往復動作の復路では、弾性体に蓄えられた付勢力により切替レバーを復帰させるものでもよい。
【００２０】
本発明のロック装置において、伝達レバーと関節部材とは、１つの付勢手段により揺動軸回りで同一方向に付勢され得る。
【００２１】
この場合、このロック装置は、伝達レバーと関節部材とが２つの付勢手段に別個に付勢される場合と比較して、装置構成の簡略化や部品点数の削減を確実に図ることができ、その結果として、製造コストの上昇を一層抑制できる。
【００２２】
付勢手段としては、伝達レバーと関節部材とを揺動軸回りで同一方向に付勢するものであればどのようなものを採用してもかまわない。例えば、付勢手段としては、引張コイルバネ、圧縮コイルバネ、捩りコイルバネ、弾性ゴム等を採用できる。
【発明を実施するための最良の形態】
【００２３】
以下、本発明を具体化した実施例を図面を参照しつつ説明する。なお、図１に示すように、テールゲート９側を後側として前後方向、左右方向及び上下方向を規定している。すなわち、テールゲート９の反対側である車両前方を前側と規定している。また、車両前方を向いた状態における左側（図１における紙面奥側）を左側と規定し、車両前方を向いた状態における右側（図１における紙面手前側）を右側と規定している。そして、図２〜図４に示す前後方向、左右方向及び上下方向は、全て図１の各方向に対応している。
【実施例】
【００２４】
図１に示すように、実施例の車両用開閉体のロック装置１（以下、単に「ロック装置１」と呼ぶ。）は、自動車等の車両に適用されるものである。ロック装置１は、車両用開閉体の具体的態様の一例であるテールゲート９の下方の車内側に配設されている。そして、ロック装置１は、後述する通り、車両本体８に配設されたストライカ９９と、ロック装置１のフォーク１１とが係合したり、係合しなくなることにより、テールゲート９を閉じたまま保持する施錠状態、又は開放可能な解錠状態とするものである。以下、ロック装置１の各構成要素について詳しく説明する。なお、ロック装置１は、いうまでもなく、サイドドアやボンネットフード等にも適用可能である。
【００２５】
ロック装置１は、図１及び図２に示すように、取付部材９０と、フォーク１１と、ポール１２と、切替手段５０とを備えている。切替手段５０とポール１２との間には、早期復帰機構２０が設けられている。
【００２６】
取付部材９０は、図１及び図２に示すように、厚肉の矩形鋼板であり、テールゲート９の下側端部に略水平に固定されている。取付部材９０には、図２に示すように、前端縁中央から後方に向けて深く溝状に切り欠かれた進入口９１が形成されている。進入口９１には、テールゲート９の開閉に伴ってロック装置１が移動する際、略「Ｉ」字形状のストライカ９９が相対的に進入するようになっている。また、取付部材９０には、フォーク１１及びポール１２が進入口９１を左右から挟むように設けられている。
【００２７】
フォーク１１は、図２に示すように、進入口９１の右側（車両前方を向いた状態における右側。）に配設され、取付部材９０の底部から上方に向けて凸設された揺動軸１４ａに揺動可能に軸支されている。そして、フォーク１１は、図示しないコイルバネにより、揺動軸１４ａ回りでＤ２方向に揺動するように付勢されている。
【００２８】
フォーク１１の進入口９１側に位置する部位は、前側凸部１１ａと後側凸部１１ｂとに分岐している。そして、前側凸部１１ａと後側凸部１１ｂとの間に形成された凹部１１ｃには、進入口９１内に進入したストライカ９９が収まるようになっている。図２に示す状態が、フォーク１１が進入口９１の底部でストライカ９９を係止した状態（以下、単に「係止状態」と呼ぶ。）である。前側凸部１１ａのポール１２に対面する先端側には、後述するストッパ部１２ａと当接可能なラッチ面１９ａが形成されている。
【００２９】
ポール１２は、図２に示すように、進入口９１の左側（車両前方を向いた状態における左側。）に配設され、取付部材９０の底部から上方に向けて凸設された揺動軸１４ｂに揺動可能に軸支されている。
【００３０】
ポール１２の進入口９１側に位置する部位には、ストッパ部１２ａが形成されている。ストッパ部１２ａは、揺動軸１４ｂの軸心を中心とする円弧であり、上述のラッチ面１９ａに対面するように形成されている。ストッパ部１２ａを構成する円弧は、フォーク１１側で途切れており、そこから揺動軸１４ｂ側に向けて略直線状に切り欠かれた摺動面１２ｃが形成されている。
【００３１】
ポール１２は、図１に示すように、ストッパ部１２ａより上方に位置し、前方に向けて突設された被伝達部１２ｂを一体に有している。被伝達部１２ｂは、詳細は後述するが、伝達レバー３０の下端側の伝達部３０ｂが当接することにより、図３に示すように、Ｄ１方向に押されて変位するようになっている。
【００３２】
揺動軸１４ｂには、コイルバネ１２ｓが装着されている。コイルバネ１２ｓの一端は被伝達部１２ｂ側に係止され、コイルバネ１２ｓの他端は取付部材９０側に係止されている。ポール１２は、このコイルバネ１２ｓにより、揺動軸１４ｂ回りでＤ１方向とは逆方向に揺動するように付勢されており、通常は、図２に示す姿勢を保持している。
【００３３】
図２に示すように、フォーク１１が進入口９１の底部でストライカ９９を係止した状態では、前側凸部１１ａのラッチ面１９ａにストッパ部１２ａが当接することにより、フォーク１１をＤ２方向に揺動させないように固定して係止状態としている。
【００３４】
そして、図３に示すように、後述する伝達部３０ｂが当接して、被伝達部１２ｂがＤ１方向に変位すれば、ポール１２は、コイルバネ１２ｓの付勢力に抗しつつ、揺動軸１４ｂ回りでＤ１方向に揺動する。この際、ストッパ部１２ａがラッチ面１９ａから離反するので、ポール１２がフォーク１１の揺動を開放する。その結果、フォーク１１がコイルバネの付勢力により揺動軸１４ａ回りでＤ２方向に揺動して、ストライカ９９を進入口９１から離脱する方向に変位させる。その結果、フォーク１１は、進入口９１内においてストライカ９９の係止を解除した状態である解除状態に切り替わる。こうして、ロック装置１は、テールゲート９を解錠状態とする。
【００３５】
図３に示す状態において、使用者がテールゲート９をさらに開こうとすれば、ストライカ９９が進入口９１からさらに離脱する方向に変位するので、フォーク１１も追従してＤ２方向にさらに揺動することとなり、使用者の開操作を妨げない。なお、このフォーク１１が揺動して図３に示す状態となった後は、後述する切替手段５０及び早期復帰機構２０の動作により、伝達部３０ｂ及び被伝達部１２ｂが図２に示す元の状態に早期に復帰するようになっている。
【００３６】
逆に、図３に示す状態において、ストライカ９９が進入口９１内に進入する場合には、フォーク１１も追従してＤ２方向とは逆方向に揺動し、図２に示す状態に復帰する。この際、ポール１２は、既に図２に示す元の状態に復帰しているので、フォーク１１の下側凸部１１ｂ及び上側凸部１１ａの先端が順次、摺動面１２ｃに当接して、ポール１２を一旦Ｄ１方向に揺動させる。そして、上側凸部１１ａが摺動面１２ｃから離反すると、ポール１２は、Ｄ１方向とは逆方向に揺動して元の状態に復帰するので、ストッパ部１２ａがラッチ面１９ａと対面して、フォーク１１の揺動を固定する。この結果、フォーク１１は係止状態に戻る。こうして、ロック装置１は、テールゲート９を施錠状態とする。
【００３７】
次に、図１及び図４を参照しつつ、切替手段５０及び早期復帰機構２０について説明する。取付部材９０は、自己の上方に位置するハウジング９５を有している。ハウジング９５は、上下方向に扁平に延在する内部空間を有しており、ハウジング９５内において、上方には切替手段５０が収納され、下方には早期復帰機構２０が収納されている。
【００３８】
切替手段５０は、駆動手段８０と、切替レバー５１とを有している。
【００３９】
駆動手段８０は、駆動手段本体８１と、駆動手段本体８１から後方に向けて露出するように凸設された駆動軸８２とからなる。駆動手段本体８１は、図示しない制御手段により制御されて、駆動軸８２を図４に示す設定角度αの範囲で揺動させるものである。駆動手段本体８１は、例えば、電動モータ、伝達ギヤ、リターンスプリング等が組み合わされてなる周知の構成のものであるので、説明は省略する。
【００４０】
切替レバー５１は細長い板形状のものであり、上端側が駆動軸８２に固定され、下端側が下方に向けて延在するように配設されている。
【００４１】
このような構成である切替手段５０は、下記のように動作する。まず、図４に示す初期状態において、使用者が開閉ハンドル９ａ（図１に示す。）を引いて、開スイッチ９ｂ（図１に示す。）を通電状態とすると、制御手段がそのことを検知し、駆動手段本体８１の電動モータに電力を供給して、駆動軸８２を揺動させる。そうすると、切替レバー５１は、駆動軸８２とともに揺動して、図４に示す状態から設定角度αまで所定の速度で揺動する。その後、切替レバー５１は、リターンスプリングの復元力により設定角度αから逆方向に揺動し、元の状態まで復帰して停止する。
【００４２】
ここで、図４に示す切替レバー５１の状態を「初期位置」と呼ぶこととする。また、切替レバー５１が設定角度αまで揺動する行程を「往路」と呼び、切替レバー５１が設定角度αから初期位置まで復帰する行程を「復路」と呼ぶこととする。さらに、切替レバー５１が初期位置から設定角度αまで揺動する方向を「往路方向Ｇ」と呼び、切替レバー５１が設定角度αから初期位置まで復帰する方向を「復路方向Ｒ」と呼ぶこととする。
【００４３】
早期復帰機構２０は、伝達レバー３０と、関節部材６０と、切替レバー５１に設けられた当接部７０とを有して構成されている。
【００４４】
伝達レバー３０は、細長い板形状のものであり、その中央部は、ハウジング９５内で後方に向けて凸設された揺動軸９１ａに揺動可能に軸支されている。揺動軸９１ａは、上下方向で見て、駆動軸８２と、被伝達部１２ｂとの略中間に配設されている。図１に示すように、揺動軸９１ａの軸心は、駆動軸８２の軸心と平行とされている。このため、伝達レバー３０が揺動する平面は、切替レバー５１が揺動する面に対して平行となっている。また、伝達レバー３０が揺動する平面は、切替レバー５１が揺動する面に対して後方に配置されている。
【００４５】
図４に示すように、伝達レバー３０の上端側は、初期位置にある切替レバー５１の下端側と同じ程度の高さに配置されている。他方、伝達レバー３０の下端側には伝達部３０ｂが形成されており、被伝達部１２ｂの左側に配置されている。
【００４６】
揺動軸９１ａには、コイルバネ３０ｓが装着されている。コイルバネ３０ｓの一端は、伝達レバー３０の往路方向Ｇ側の側面から突出する凸片が後方に折り曲げられてなる係止部３１に係止されている。他方、コイルバネ３０ｓの他端は、ハウジング９５側から後方に向けて凸設され、かつ揺動軸９１ａの右側に位置する係止部９１ｂに係止されている。伝達レバー３０は、このコイルバネ３０ｓにより、自己の上端側が揺動軸９１ａ回りで復路方向Ｒに揺動するように付勢されており、通常は、図４に示す姿勢を保持している。そして、伝達レバー３０の上端側がコイルバネ３０ｓの付勢力に抗しつつ、揺動軸９１ａ回りで往路方向Ｇに揺動すれば、伝達部３０ｂが被伝達部１２ｂに当接して、上述の通り、ポール１２をＤ１方向に揺動させるようになっている。
【００４７】
関節部材６０は、図１及び図４に示すように、略「Ｌ」字をなす板形状のものであり、伝達レバー３０の後面側に添うように配置されている。関節部材６０における略「Ｌ」字の屈曲部位は、揺動軸９１ａに揺動可能に軸支されている。すなわち、関節部材６０は、伝達レバー３０とともに揺動軸９１ａに揺動可能に設けられており、伝達レバー３０と１本の揺動軸９１ａを共用している。
【００４８】
関節部材６０の上端側（揺動軸９１ａから上方に離れる側）は、伝達レバー３０の上端側に向けて延在しており、復路方向Ｒに向く部位が前方に折り曲げられてなる伝達部６１が形成されている。一方、関節部材６０の下端側（揺動軸９１ａから右方に離れる側）は、係止部９１ｂに向けて延在しており、上方を向く側面から突出する凸片が後方に折り曲げられてなる係止部６２が形成されている。係止部６２は、図４に示すように、通常は揺動軸９１ａと係止部９１ｂとの間に位置して、コイルバネ３０ｓの他端に上方から当接した状態となっている。このため、関節部材６０は、コイルバネ３０ｓにより、揺動軸９１ａ回りで往路方向Ｇに揺動するように付勢されている。このため、関節部材６０は、通常は、伝達部６１が伝達レバー３０の復路方向Ｒ側の側面に当て止まって、図４に示すように、伝達レバー３０と重なった状態を維持するようになっている。図７及び図８を示して後述するように、関節部材６０は、揺動軸９１ａ回りで往路方向Ｇには、伝達レバー３０と一体的に揺動可能となっている。また、関節部材６０は、図１１を示して後述するように、揺動軸９１ａ回りで復路方向Ｒには、伝達レバー３０から独立して、コイルバネ３０ｓの付勢力に抗しつつ揺動可能となっている。
【００４９】
当接部７０は、切替レバー５１の下端側から後方に向けて短く凸設された円柱軸体である。当接部７０は、図１及び図４に示すように、伝達部６１と同程度の高さに配置されている。また、当接部７０は、図１に示すように、前後方向で見て、伝達部６１と重なる位置に配置されている。このため、切替レバー５１が往路方向Ｇ又は復路方向Ｒに揺動する際、当接部７０と伝達部６１とが一時的に当接するようになっている。
【００５０】
このような構成である実施例のロック装置１は、図１、図２及び図４に示す初期状態において、使用者が開閉ハンドル９ａを操作してテールゲート９を開こうとする場合、下記に詳述するように動作して、自動によりフォーク１１を係止状態から解除状態に切り替え、テールゲート９を解錠状態とする。
【００５１】
以下、図５〜図１２を参照しつつ、ロック装置１の動作を順次説明する、なお、図５〜図１２は、切替手段５０及び早期復帰機構２０と、フォーク１１及びポール１２との連携動作を理解し易くするため、取付部材９０、フォーク１１及びポール１２を９０度回転させた姿勢で図示して、切替手段５０及び早期復帰機構２０と、本来取付部材９０、フォーク１１及びポール１２とを同一平面で視認できるようにしている。
【００５２】
＜初期状態＞
図５は、図１、図２及び図４と同様に、ロック装置１がテールゲート９を施錠状態としている初期状態を示している。この状態では、切替レバー５１が初期位置にあり、ポール１２がフォーク１１の揺動を固定している。
【００５３】
＜往路＞
次に、使用者が開閉ハンドル９ａを操作して、開スイッチ９ｂを通電状態とすると、制御手段が駆動手段８０の制御を開始する。そうすると、図６に示すように、駆動軸８２及び切替レバー５１が初期位置から往路方向Ｇに揺動を開始する。そして、切替レバー５１の当接部７０が関節部材６０の伝達部６１に接近して当接する。ここで、関節部材６０は、揺動軸９１ａ回りで往路方向Ｇには伝達レバー３０と一体的に揺動可能であるので、図７に示すように、切替レバー５１の揺動に伴って、当接部７０が伝達部６１を往路方向Ｇに押す。このため、切替レバー５１の揺動が、当接部７０及び関節部材６０を介して伝達レバー３０に伝達されて、伝達レバー３０の上端側が往路方向Ｇに揺動する。このため、伝達レバー３０の下端側の伝達部３０ｂが被伝達部１２ｂに当接して、ポール１２をＤ１方向に揺動させ、フォーク１１の揺動を開放させる。その結果、フォーク１１がコイルバネに付勢されてＤ２方向に揺動し、係止状態から解除状態に切り替わる。この状態では、上述の通り、テールゲート９が解錠状態となるので、使用者はテールゲート９をさらに開くことができる。
【００５４】
その後、切替レバー５１が往路方向Ｇにさらに揺動すると、伝達レバー３０の上端側も往路方向Ｇにさらに揺動し、ポール１２もＤ１方向にさらに揺動する。そうすると、図８に示すように、当接部７０が伝達部６１から離反して当接しなくなるので、伝達レバー３０は、切替レバー５１の揺動をポール１２に伝達しなくなる。このため、図９に示すように、伝達レバー３０は、コイルバネ３０ｓの付勢力により、関節部材６０とともに元の状態に早期に復帰する。その結果、ポール１２も、コイルバネ１２ｓの付勢力により、Ｄ１方向とは逆方向に揺動して、フォーク１１の揺動を固定し得る状態に早期に復帰する。その結果、フォーク１１が解除状態から係止状態に復帰可能な状態となる。この状態では、上述の通り、使用者がテールゲート９を開いてすぐに閉めようとしても、ポール１２が直ちにフォーク１１の揺動を固定できるので、テールゲート９を問題なく閉じて施錠状態とすることができる。
【００５５】
この間、図９に示すように、切替レバー５１は往路方向Ｇにさらに揺動し、設定角度αまで到達すると、初期位置に戻る動作（復路）に移行する。
【００５６】
＜復路＞
図１０に示すように、切替レバー５１が初期位置に復帰する復路では、既に、伝達レバー３０及びポール１２は元の状態に復帰しているので、切替レバー５１が単独で復路方向Ｒに揺動する。そうすると、当接部７０が伝達部６１に接近して再び当接する。ここで、図１１に示すように、関節部材６０は、揺動軸９１ａ回りで復路方向Ｒには、伝達レバー３０から独立して揺動可能であるので、当接部７０が伝達部６１に当接しても、伝達部６１は当接部７０から逃げるように単独で復路方向Ｒに揺動するだけである。この際、係止部６２も揺動軸９１ａ回りで揺動して、コイルバネ３０ｓを圧縮するので、関節部材６０は、コイルバネ３０ｓの付勢力に抗しつつ復路方向Ｒに揺動する。このため、切替レバー５１は、ポール１２や伝達レバー３０に妨げられることなく、図１２に示すように、初期位置まで復帰することができる。その後、当接部７０は伝達部６１から再び離反するので、関節部材６０はコイルバネ３０ｓの付勢力により、揺動軸９１ａ回りで揺動して元の状態に復帰する。こうして、ロック装置１の一連の動作が終了する。
【００５７】
ここで、実施例のロック装置１では、切替レバー５１の往路において、上述の構成である早期復帰機構２０が、まず、ポールを揺動させてフォーク１１の揺動を開放させる。その結果、フォーク１１が係止状態から解除状態に切り替わる。この状態では、使用者はテールゲート９をさらに開くことができる。その後、切替レバー５１がさらに揺動すると、早期復帰機構２０が、フォーク１１の揺動を固定し得る状態にポール１２を復帰させる。その結果、フォーク１１が解除状態から係止状態に復帰可能な状態となる。このため、使用者がテールゲート９を開いてすぐに閉めようとしても、ポール１２が直ちにフォーク１１の揺動を固定できるので、テールゲート９を問題なく閉じることができる。
【００５８】
また、切替レバー５１の復路において、早期復帰機構２０は、上述の通り、切替レバー５１の復帰がポール１２によって妨げられないようにする。このため、切替レバー５１は、支障なく初期位置に復帰することができる。こうして、このロック装置１は、テールゲート９を開いてすぐに閉めようとする使用者に好適に対処できる。
【００５９】
さらに、このロック装置１では、伝達レバー３０と関節部材６０とが１本の揺動軸９１ａに軸支され、その揺動軸９１ａ回りで揺動可能とされている。このため、このロック装置１は、伝達レバー３０と関節部材６０とが２本の揺動軸に別個に軸支される場合と比較して、装置構成の簡略化や部品点数の削減を図ることができ、その結果として、製造コストの上昇を抑制できる。
【００６０】
したがって、実施例のロック装置は、テールゲート９を開いてすぐに閉めようとする使用者に好適に対処でき、かつ製造コストの上昇を抑制できる。
【００６１】
また、このロック装置１において、伝達レバー３０と関節部材６０とは、１つのコイルバネ３０ｓにより揺動軸９１ａ回りで同一方向に付勢される。このため、このロック装置１は、伝達レバー３０と関節部材６０とが２つの付勢手段に別個に付勢される場合と比較して、装置構成の簡略化や部品点数の削減を確実に図ることができ、その結果として、製造コストの上昇を一層抑制できる。
【００６２】
さらに、このロック装置１では、関節部材６０は、伝達レバー３０が揺動する面と平行な面内で揺動する。このため、このロック装置１は、外形状が扁平になっており、車両に搭載しても嵩張らず、車内空間を広くすることができる。さらに、このロック装置１では、ポール１２が揺動する面と伝達レバー３０が揺動する面とが交差するような配置構成を採用しているので、車両のドアのような扁平な空間内に内蔵可能な形状に設計し易くなっている。
【００６３】
以上において、本発明を実施例に即して説明したが、本発明は上記実施例に制限されるものではなく、その趣旨を逸脱しない範囲で適宜変更して適用できることはいうまでもない。
【産業上の利用可能性】
【００６４】
本発明は車両用開閉体に利用可能である。
【図面の簡単な説明】
【００６５】
【図１】実施例の車両用開閉体のロック装置の側面図である。
【図２】実施例の車両用開閉体のロック装置に係り、図１の矢視ＩＩ方向から見た取付部材、フォーク及びポールを示す説明図である（フォークが係止状態となっている。）。
【図３】実施例の車両用開閉体のロック装置に係り、図１の矢視ＩＩ方向から見た取付部材、フォーク及びポールを示す説明図である（フォークが解除状態となっている。）。
【図４】実施例の車両用開閉体のロック装置に係り、図１の矢視ＩＶ方向から見た切替手段、早期復帰機構、取付部材、フォーク及びポールを示す説明図である（切替レバーが初期位置にある状態。）。
【図５】実施例の車両用開閉体のロック装置の動作を示す説明図である（切替レバーが初期位置にある状態。）。
【図６】実施例の車両用開閉体のロック装置の動作を示す説明図である。
【図７】実施例の車両用開閉体のロック装置の動作を示す説明図である。
【図８】実施例の車両用開閉体のロック装置の動作を示す説明図である。
【図９】実施例の車両用開閉体のロック装置の動作を示す説明図である。
【図１０】実施例の車両用開閉体のロック装置の動作を示す説明図である。
【図１１】実施例の車両用開閉体のロック装置の動作を示す説明図である。
【図１２】実施例の車両用開閉体のロック装置の動作を示す説明図である。
【符号の説明】
【００６６】
１…ロック装置
９…車両用開閉体（テールゲート）
９ｂ…開スイッチ
１１…フォーク
１２…ポール
２０…早期復帰機構
３０…伝達レバー
３０ｂ…伝達レバーの一端（伝達部）
３０ｓ…付勢手段（コイルバネ）
５０…切替手段
５１…切替レバー
６０…関節部材
７０…当接部
８０…駆動手段
９０…取付部材
９１…進入口
９１ａ…揺動軸
９９…ストライカ
Ｇ…往路方向
Ｒ…復路方向
α…設定角度
【図１】
0005090233.tif 000002
【図２】
0005090233.tif 000003
【図３】
0005090233.tif 000004
【図４】
0005090233.tif 000005
【図５】
0005090233.tif 000006
【図６】
0005090233.tif 000007
【図７】
0005090233.tif 000008
【図８】
0005090233.tif 000009
【図９】
0005090233.tif 000010
【図１０】
0005090233.tif 000011
【図１１】
0005090233.tif 000012
【図１２】
0005090233.tif 000013